(57)【要約】      （修正有）【課題】カートンおよびカートンを形成するためのブランクを提供する。【解決手段】底壁部と、一対の側壁部と、一対の端壁部とを有するトレーであり、各コーナーの折畳み可能コーナーウェブが、端壁部および側壁部のそれぞれの隣接し合う側部エッジ間にてヒンジ連結し、複数のガセットパネルから形成される。固定フラップが、各側壁部の上方エッジにヒンジ連結され、ハンドルフラップを備え、第１の初期形態から第２の拡張形態へと転換可能である。第２の拡張形態において、各コーナーの端壁部および側壁部の隣接し合う側部エッジは、離間され、それぞれのコーナーウェブは、部分的に拡げられた位置で、固定フラップにより第２の拡張形態にロック可能である。固定フラップは、各コーナーウェブが固定フラップと側壁部のそれぞれ１つとの間で折り畳まれ、ハンドルフラップが側壁部の１つのハンドオープニング内に受けられるロック位置へと折り曲げられる。【選択図】図１
2019043671.tif 000002
【特許請求の範囲】
【請求項１】
トレーを備える、１つまたは複数の物品を包装するためのカートンであって、前記トレーは、
底壁部と、
一対の側壁部と、
一対の端壁部と、
前記トレーの各コーナーの折畳み可能コーナーウェブであって、各コーナーが、前記側壁部のそれぞれ１つと前記端壁部のそれぞれ１つとにより画定され、各コーナーウェブが、それぞれの端壁部および側壁部の隣接し合う側部エッジ間にてヒンジ連結し、かつ次から次へとヒンジ連結された複数のガセットパネルを各コーナーウェブが備える、折畳み可能コーナーウェブと、
各側壁部の上方エッジにヒンジ連結されるとともに、ハンドルフラップを備える、固定フラップと、
を備え、
前記トレーは、第１の初期形態から第２の拡張形態へと転換可能であり、
前記第１の初期形態において、各コーナーのそれぞれの端壁部および側壁部の隣接し合う側部エッジは、実質的に相互に隣接して配設され、各コーナーのそれぞれのコーナーウェブは、完全に折り畳まれた位置にあり、
前記第２の拡張形態において、各コーナーのそれぞれの端壁部および側壁部の隣接し合う側部エッジは、離間され、各コーナーのそれぞれのコーナーウェブは、部分的に拡げられた位置にあり、
各コーナーウェブが固定フラップのそれぞれ１つとそれぞれの側壁部との間に挟み込まれるロック位置であって、前記固定フラップのそれぞれ１つのハンドルフラップがそれぞれの側壁部中のハンドオープニング内に受けられるロック位置へと前記固定フラップが折り曲げられる場合に、前記トレーは前記固定フラップにより前記第２の拡張形態にロック可能である、カートン。
【請求項２】
カバーをさらに備え、前記カバーは、前記トレーの側壁部および端壁部の輪郭に少なくとも沿って配設されるように、前記トレーに係合可能であり、前記トレーは、前記カバーが前記トレーに係合される場合に前記第１の初期形態にロック可能である、請求項１に記載のカートン。
【請求項３】
前記カバーは、前記トレーにヒンジ連結される、請求項２に記載のカートン。
【請求項４】
各コーナーウェブの複数のガセットパネルは、それぞれの端壁部および側壁部の隣接し合う側部エッジのほぼ交差部上に概念上の収束点を有する複数の収束折り目ラインによって、次から次へとヒンジ連結される、請求項１に記載のカートン。
【請求項５】
各コーナーウェブの複数のガセットパネルは、第１のパネル、第２のパネル、および第３のパネルを備え、前記第１のパネルは、第１の折り目ラインによりそれぞれの側壁部の隣接する側部エッジにヒンジ連結され、前記第２のパネルは、第２の折り目ラインにより前記第１のパネルにヒンジ連結され、前記第３のパネルは、第３の折り目ラインにより前記第２のパネルにヒンジ連結され、前記第３のパネルは、前記概念上の収束点から離間された自由エッジ（Ｅ２）を備え、前記第１の折り目ラインおよび前記第２の折り目ラインは、それらの間に第１の角度（α）を画定し、前記第２の折り目ラインおよび前記第３のパネルの自由エッジ（Ｅ２）は、それらの間に第２の角度（ω２）を画定し、前記第１の角度（α）および前記第２の角度（ω２）の和は、９０度にほぼ等しく、かつ前記第１の角度（α）および前記第２の角度（ω２）はいずれも、４５度に等しくない、請求項４に記載のカートン。
【請求項６】
各コーナーウェブの複数のガセットパネルは、第１のパネル、第２のパネル、第３のパネル、および第４のパネルを備え、前記第１のパネルは、第１の折り目ラインによりそれぞれの側壁部の隣接する側部エッジにヒンジ連結され、前記第２のパネルは、第２の折り目ラインにより前記第１のパネルにヒンジ連結され、前記第３のパネルは、第３の折り目ラインにより前記第２のパネルにヒンジ連結され、前記第４のパネルは、第４の折り目ラインにより前記第３のパネルにヒンジ連結されるとともに、第５の折り目ラインによりそれぞれの端壁部の隣接する側部エッジにヒンジ連結され、前記第１の折り目ラインおよび前記第２の折り目ラインは、それらの間に第１の角度（α）を画定し、前記第５の折り目ラインおよび前記第４の折り目ラインは、それらの間に第２の角度（ε）を画定し、前記第１の角度（α）の２倍と前記第２の角度（ε）との和が、９０度にほぼ等しい、請求項４に記載のカートン。
【請求項７】
各コーナーウェブの複数のガセットパネルは、第１のパネル、第２のパネル、および第３のパネルを備え、前記第１のパネルは、第１の折り目ラインによりそれぞれの側壁部の隣接する側部エッジにヒンジ連結され、前記第２のパネルは、第２の折り目ラインにより前記第１のパネルにヒンジ連結され、前記第３のパネルは、第３の折り目ラインにより前記第２のパネルにヒンジ連結され、各コーナーウェブが、第４の折り目ラインにより前記端壁部の隣接する側部エッジにヒンジ連結され、前記第１の折り目ラインおよび前記第２の折り目ラインは、それらの間に第１の角度（α）を画定し、前記第２の折り目ラインおよび前記第４の折り目ラインは、それらの間に第２の角度（β＋δ＋ε）を画定し、前記第１の角度（α）および前記第２の角度（β＋δ＋ε）の和が、９０度にほぼ等しく、かつ前記第１の角度（α）および前記第２の角度（β＋δ＋ε）はいずれも、４５度に等しくない、請求項４に記載のカートン。
【請求項８】
前記第１の角度（α）は、前記第２の角度（β＋δ＋ε）とは大きさが異なる、請求項７に記載のカートン。
【請求項９】
トレーと、前記トレーの開口上部を覆うために前記トレーに少なくとも部分的に取り外し可能に係合されたカバーと、を備える、１つまたは複数の物品を包装するためのカートンであって、前記トレーは、
底壁部と、
一対の側壁部と、
一対の端壁部と、
前記トレーの各コーナーの折畳み可能コーナーウェブであって、各コーナーが、前記側壁部のそれぞれ１つと前記端壁部のそれぞれ１つとにより画定され、各コーナーウェブが、それぞれの端壁部および側壁部の隣接し合う側部エッジ間にてヒンジ連結し、各コーナーウェブが、収束折り目ラインにより次から次へとヒンジ連結された第１のパネル、第２のパネル、および第３のパネルを備え、前記収束折り目ラインは、それぞれの端壁部および側壁部の隣接し合う側部エッジのほぼ交差部上に概念上の収束点を有する、折畳み可能コーナーウェブと、
を備え、
各コーナーウェブの第１のパネルは、それぞれの側壁部の外部表面に固定され、
前記トレーは、第１の初期形態から第２の拡張形態へと転換可能であり、
前記第１の初期形態において、各コーナーのそれぞれの端壁部および側壁部の隣接し合う側部エッジは、実質的に相互に隣接して配設され、各コーナーのそれぞれのコーナーウェブは、完全に折り畳まれた位置にあり、
前記第２の拡張形態において、各コーナーのそれぞれの端壁部および側壁部の隣接し合う側部エッジは、離間され、それぞれのコーナーウェブは、部分的に拡げられた位置にあり、
前記カバーが前記トレーの側壁部および端壁部の輪郭に沿って少なくとも部分的に配設される場合に、前記トレーは前記第１の初期形態にロック可能である、カートン。
【請求項１０】
前記トレーは、各側壁部の上方エッジにヒンジ連結された固定フラップをさらに備え、各コーナーウェブが前記固定フラップのそれぞれ１つとそれぞれの側壁部との間に挟み込まれるロック位置であって、前記固定フラップのそれぞれ１つのハンドルフラップがそれぞれの側壁部中のハンドオープニング内に受けられるロック位置へと前記固定フラップが折り曲げられる場合に、前記トレーは前記第２の拡張形態にロック可能である、請求項９に記載のカートン。
【請求項１１】
トレーを形成するための複数のパネルを備える、カートンを形成するためのブランクであって、前記複数のパネルは、
前記トレーの底壁部を形成するための底部パネルと、
前記トレーの一対の側壁部を形成するための一対の側部パネルと、
前記トレーの一対の端壁部を形成するための一対の端部パネルと、
前記トレーの各コーナーに位置する折畳み可能コーナーウェブであって、各コーナーが、前記トレーの直立時に、前記側壁部のそれぞれ１つと前記端壁部のそれぞれ１つとにより画定され、各コーナーウェブが、それぞれの端壁部および側壁部の隣接し合う側部エッジ間にてヒンジ連結し、かつ次から次へとヒンジ連結された複数のガセットパネルを各コーナーウェブが備える、折畳み可能コーナーウェブと、
各側壁部の上方エッジにヒンジ連結されるとともに、ハンドルフラップを備える、固定フラップと、
を備え、
直立状態において、前記トレーは、第１の初期形態から第２の拡張形態へと転換可能であり、
前記第１の初期形態において、前記トレーの各コーナーのそれぞれの端壁部および側壁部の隣接し合う側部エッジは、実質的に相互に隣接して配設され、各コーナーのそれぞれのコーナーウェブは、完全に折り畳まれた位置にあり、
前記第２の拡張形態において、各コーナーのそれぞれの端壁部および側壁部の隣接し合う側部エッジは、離間され、かつ各コーナーのそれぞれのコーナーウェブは、部分的に拡げられた位置にあり、
各コーナーウェブが前記固定フラップのそれぞれ１つとそれぞれの側壁部との間に挟み込まれるロック位置であって、前記固定フラップのそれぞれ１つのハンドルフラップがそれぞれの側壁部中のハンドオープニング内に受けられるロック位置へと前記固定フラップが折り曲げられる場合に、前記トレーは前記第２の拡張形態にロック可能である、ブランク。
【請求項１２】
各コーナーウェブの複数のガセットパネルは、それぞれの端壁部および側壁部の隣接し合う側部エッジのほぼ交差部上に概念上の収束点を有する複数の収束折り目ラインにより、次から次へとヒンジ連結される、請求項１１に記載のブランク。
【請求項１３】
前記複数のガセットパネルは、第１のパネル、第２のパネル、および第３のパネルを備え、前記第１のパネルは、第１の折り目ラインによりそれぞれの側壁部の隣接する側部エッジにヒンジ連結され、前記第２のパネルは、第２の折り目ラインにより前記第１のパネルにヒンジ連結され、前記第３のパネルは、第３の折り目ラインにより前記第２のパネルにヒンジ連結され、前記第３のパネルは、前記概念上の収束点から離間された自由エッジを備え、前記第１の折り目ラインおよび前記第２の折り目ラインは、それらの間に第１の角度（α）を画定し、前記第２の折り目ラインおよび前記第３のパネルの自由エッジ（Ｅ２）は、それらの間に第２の角度（ω２）を画定し、前記第１の角度（α）および前記第２の角度（ω２）の和は、９０度にほぼ等しく、かつ前記第１の角度（α）および前記第２の角度（ω２）はいずれも、４５度に等しくない、請求項１２に記載のブランク。
【請求項１４】
前記複数のガセットパネルは、第１のパネル、第２のパネル、第３のパネル、および第４のパネルを備え、前記第１のパネルは、第１の折り目ラインによりそれぞれの側壁部の隣接する側部エッジにヒンジ連結され、前記第２のパネルは、第２の折り目ラインにより前記第１のパネルにヒンジ連結され、前記第３のパネルは、第３の折り目ラインにより前記第２のパネルにヒンジ連結され、前記第４のパネルは、第４の折り目ラインにより前記第３のパネルにヒンジ連結されるとともに、第５の折り目ラインによりそれぞれの端壁部の隣接する側部エッジにヒンジ連結され、前記第１の折り目ラインおよび前記第２の折り目ラインは、それらの間に第１の角度（α）を画定し、前記第４の折り目ラインおよび前記第５の折り目ラインは、それらの間に第２の角度（ε）を画定し、前記第１の角度（α）の２倍と前記第２の角度（ε）との和が、９０度にほぼ等しい、請求項１２に記載のブランク。
【請求項１５】
前記複数のガセットパネルは、第１のパネル、第２のパネル、および第３のパネルを備え、前記第１のパネルは、第１の折り目ラインによりそれぞれの側壁部の隣接する側部エッジにヒンジ連結され、前記第２のパネルは、第２の折り目ラインにより前記第１のパネルにヒンジ連結され、前記第３のパネルは、第３の折り目ラインにより前記第２のパネルにヒンジ連結され、各コーナーウェブが、第４の折り目ラインによりそれぞれの端壁部の隣接する側部エッジにヒンジ連結され、前記第１の折り目ラインおよび前記第２の折り目ラインは、それらの間に第１の角度（α）を画定し、前記第２の折り目ラインおよび前記第４の折り目ラインは、それらの間に第２の角度（β＋δ＋ε）を画定し、前記第１の角度（α）および前記第２の角度（β＋δ＋ε）の和が、９０度にほぼ等しく、かつ前記第１の角度（α）および前記第２の角度（β＋δ＋ε）はいずれも、４５度に等しくない、請求項１２に記載のブランク。
【請求項１６】
前記第１の角度（α）は、前記第２の角度（β＋δ＋ε）とは大きさが異なる、請求項１５に記載のブランク。
【請求項１７】
カバーを形成するための複数のパネルをさらに備える、請求項１１に記載のブランク。
【請求項１８】
前記カバーを形成するための複数のパネルのうちの１つが、前記トレーを形成するためのパネルのうちの１つにヒンジ連結される、請求項１７に記載のブランク。
【請求項１９】
前記第１の角度（α）は、約３６．６度である、請求項５に記載のカートン。
【請求項２０】
前記第１の角度（α）は、約３６．６度である、請求項１３に記載のブランク。
【発明の詳細な説明】
【技術分野】
【０００１】
本発明は、物品を包装するためのキャリアと、キャリアを作製するためのブランクとに関する。限定するものではないが、より詳細には、本発明は、非限定的ではあるが例えば氷などの補足アイテムをキャリアに挿入し得るように拡張可能であるトレー部分を備えるキャリアに関する。
【背景技術】
【０００２】
包装の分野では、複数の一次製品容器を含むパッケージで消費者に対して供給がなされることがしばしば必要となる。かかるマルチパックは、発送および配送にとって、ならびに販売促進情報の表示にとって望ましい。コストおよび環境面での考慮要件から、かかるキャリアは、可能な限り少量の材料から形成され、形成に使用される材料の無駄を可能な限り少なくすることが好ましい。別の考慮要件は、パッケージングの強度、ならびに高重量物品の保持および輸送への適性である。
【発明の概要】
【発明が解決しようとする課題】
【０００３】
一次製品の輸送に使用され得る、および一次製品がキャリア内で冷却され得るまたは低温状態に維持され得るように氷バケツまたは氷容器として使用され得るキャリアを提供することが望ましい。
【課題を解決するための手段】
【０００４】
本発明の一態様によれば、トレーを備える、1つまたは複数の物品を包装するためのカートンが提供される。トレーは、底壁部と、一対の側壁部と、一対の端壁部とを備える。折畳み可能コーナーウェブが、トレーの各コーナーに設けられ得る。各コーナーウェブは、端壁部および側壁部のそれぞれの隣接し合う側部エッジ間にてヒンジ連結し、かつ次から次へとヒンジ連結された複数のガセットパネルを各コーナーウェブが備える。固定フラップが、各側壁部の上方エッジにヒンジ連結されてもよく、ハンドルフラップを備えてもよい。トレーは、第1の初期形態から第2の拡張形態へと転換可能である。第1の初期形態において、トレーの各コーナーの端壁部および側壁部の隣接し合う側部エッジは、実質的に相互に隣接して配設され得ると共に、それぞれのコーナーウェブは、完全に折り畳まれた位置にある。第2の拡張形態において、各コーナーの端壁部および側壁部の隣接し合う側部エッジは、離間され得ると共に、それぞれのコーナーウェブは、部分的に拡げられた位置にある。トレーは、固定フラップにより第2の拡張形態にロック可能である。固定フラップは、各コーナーウェブが固定フラップと側壁部のそれぞれ1つとの間で折り畳まれるロック位置へと折り曲げられる。ハンドルフラップは、側壁部のうちの1つのハンドオープニング内に受けられる。
【０００５】
任意には、トレーは、トレーの側部パネルおよび端部パネルの輪郭に少なくとも沿って配設されるようにトレーに係合可能であるカバーにより第1の初期形態にロック可能である。
【０００６】
任意には、カバーは、トレーにヒンジ連結される。
【０００７】
任意には、コーナーウェブの複数のガセットパネルのうちのガセットパネルが、端壁部および側壁部の隣接し合う側部エッジのほぼ交差部上に概念上の収束点を有する複数の収束折り目ラインによって次から次へとヒンジ連結される。
【０００８】
任意には、複数のガセットパネルは、第1のパネル、第2のパネル、および第3のパネルを備え、第1のパネルは、第1の折り目ラインにより側壁部の側部エッジに沿って側壁部にヒンジ連結され、第2のパネルは、第2の折り目ラインにより第1のパネルにヒンジ連結され、第3のパネルは、第3の折り目ラインにより第2のパネルにヒンジ連結され、第3のパネルは、第4の折り目ラインにより端壁部の側部エッジに沿って端壁部にヒンジ連結され、第1のパネルは、第1の自由エッジを備え、第3のパネルは、第2の自由エッジを備え、第1の折り目ラインおよび第2の折り目ラインは、それらの間に第1の角度(α)を画定し、第2の折り目ラインおよび第1の自由エッジE1は、それらの間に第2の角度ω1を画定し、第2の折り目ラインおよび第2の自由エッジE2は、それらの間に第3の角度(ω2)を画定し、第1の角度(α)および第3の角度(ω2)の和は、約90度に等しく、第1の角度(α)および第3の角度(ω2)はいずれも、45度に等しくない。
【０００９】
任意には、複数のガセットパネルは、第1のパネル、第2のパネル、および第3のパネルを備え、第1のパネルは、第1の折り目ラインにより側壁部の側部エッジに沿って側壁部にヒンジ連結され、第2のパネルは、第2の折り目ラインにより第1のパネルにヒンジ連結され、第3のパネルは、第3の折り目ラインにより第2のパネルにヒンジ連結され、第3のパネルは、第4の折り目ラインにより端壁部の側部エッジに沿って端壁部にヒンジ連結され、第1の折り目ラインおよび第2の折り目ラインは、それらの間に第1の角度(α)を画定し、第2の折り目ラインおよび第4の折り目ラインは、それらの間に第2の角度(β+δ+ε)を画定し、第1の角度(α)および第2の角度(β+δ+ε)の和は、約90度に等しく、第1の角度(α)および第2の角度(β+δ+ε)はいずれも、45度に等しくない。
【００１０】
任意には、第1の角度(α)は、第2の角度(β+δ+ε)と比較した場合に大きさが異なる。
【００１１】
任意には、複数のガセットパネルは、第1のパネル、第2のパネル、第3のパネル、および第4のパネルを備え、第1のパネルは、第1の折り目ラインにより側壁部の側部エッジに沿って側壁部にヒンジ連結され、第2のパネルは、第2の折り目ラインにより第1のパネルにヒンジ連結され、第3のパネルは、第3の折り目ラインにより第2のパネルにヒンジ連結され、第4のパネルは、第4の折り目ラインにより端壁部の側部エッジに沿って端壁部にヒンジ連結され、第4のパネルは、第5の折り目ラインにより第3のパネルにヒンジ連結され、第1の折り目ラインおよび第2の折り目ラインは、それらの間に第1の角度(α)を画定し、第5の折り目ラインおよび第4の折り目ラインは、それらの間に第3の角度εを画定し、第1の角度(α)の2倍と第3の角度(ε)との和が、約90度にほぼ等しい(2α+ε≒90°)。
【００１２】
本発明の第2の態様によれば、1つまたは複数の物品を包装するためのカートンが提供される。カートンは、トレーと、トレーの開口上部を覆うためにトレーに少なくとも部分的に取り外し可能に係合されたカバーとを備える。トレーは、底壁部と、一対の側壁部と、一対の端壁部とを備える。折畳み可能コーナーウェブが、トレーの各コーナーに設けられ得る。各コーナーウェブは、端壁部および側壁部のそれぞれの隣接し合う側部エッジ間にてヒンジ連結する。各コーナーウェブは、収束折り目ラインにより次から次へとヒンジ連結され得る第1のパネル、第2のパネル、および第3のパネルを備え得る。収束折り目ラインは、端壁部および側壁部の隣接し合う側部エッジのほぼ交差部上に配設され得る概念上の収束点にて収束する。各コーナーウェブの第1のパネルは、それぞれの側壁部の外部表面に固定される。トレーは、第1の初期形態から第2の拡張形態へと転換可能である。第1の初期形態において、トレーの各コーナーの端壁部および側壁部の隣接し合う側部エッジは、実質的に相互に隣接して配設され得ると共に、それぞれのコーナーウェブは、完全に折り畳まれた位置にある。第2の拡張形態において、各コーナーの端壁部および側壁部の隣接し合う側部エッジは、離間され得ると共に、それぞれのコーナーウェブは、部分的に拡げられた位置にある。トレーは、カバーにより第1の初期形態にロック可能であり、カバーは、トレーの側部パネルおよび端部パネルの輪郭に少なくとも沿って配設され得る。
【００１３】
任意には、トレーは、各側壁部の上方エッジにヒンジ連結された固定フラップにより第2の拡張形態にロック可能であり、固定フラップは、各コーナーウェブが固定フラップと側壁部のそれぞれ1つとの間で折り畳まれ、固定フラップのハンドルフラップが側壁部中の1つのハンドオープニング（hand opening）内に受けられるロック位置へと折り曲げられる。
【００１４】
本発明の第3の態様によれば、カートンを形成するためのブランクが提供される。ブランクは、トレーを形成するためのパネルを備え、パネルは、
底壁部を形成するための底部パネルと、
一対の側壁部を形成するための一対の側部パネルと、
一対の端壁部を形成するための一対の端部パネルと、
トレーの各コーナーの折畳み可能コーナーウェブであって、各コーナーウェブが端壁部および側壁部のそれぞれの隣接し合う側部エッジ間でヒンジ連結し、次から次へとヒンジ連結された複数のガセットパネルを各コーナーウェブが備える、折畳み可能コーナーウェブと、
各側壁部の上方エッジにヒンジ連結され、ハンドルフラップを備える固定フラップと、
を備え、
組立状態または直立状態において、トレーは、第1の初期形態から第2の拡張形態へと転換可能であり、第1の初期形態において、トレーの各コーナーの端壁部および側壁部の隣接し合う側部エッジは、実質的に相互に隣接して配設され、それぞれのコーナーウェブは、完全に折り畳まれた位置にあり、第2の拡張形態において、各コーナーの端壁部および側壁部の隣接し合う側部エッジは、離間され、それぞれのコーナーウェブは、部分的に拡げられた位置にあり、トレーは、固定フラップにより第2の拡張形態にロック可能であり、固定フラップは、各コーナーウェブが固定フラップと側壁部のそれぞれ1つとの間で折り畳まれ、ハンドルフラップが側壁部のうちの1つのハンドオープニング内に受けられるロック位置へと折り曲げられる。
【００１５】
任意には、コーナーウェブの複数のパネルは、端壁部および側壁部の隣接し合う側部エッジのほぼ交差部上に概念上の収束点を有する複数の収束折り目ラインにより、次から次へとヒンジ連結される。
【００１６】
任意には、複数のガセットパネルは、第1のパネル、第2のパネル、および第3のパネルを備え、第1のパネルは、第1の折り目ラインにより側壁部の側部エッジに沿って側壁部にヒンジ連結され、第2のパネルは、第2の折り目ラインにより第1のパネルにヒンジ連結され、第3のパネルは、第3の折り目ラインにより第2のパネルにヒンジ連結され、第3のパネルは、第4の折り目ラインにより端壁部の側部エッジに沿って端壁部にヒンジ連結され、第1のパネルは、第1の自由エッジを備え、第3のパネルは、第2の自由エッジを備え、第1の折り目ラインおよび第2の折り目ラインは、それらの間に第1の角度(α)を画定し、第2の折り目ラインおよび第1の自由エッジE1は、それらの間に第2の角度ω1を画定し、第2の折り目ラインおよび第2の自由エッジE2は、それらの間に第3の角度(ω2)を画定し、第1の角度(α)および第3の角度(ω2)の和は、約90度に等しく、第1の角度(α)および第3の角度(ω2)はいずれも、45度に等しくない。
【００１７】
任意には、複数のガセットパネルは、第1のパネル、第2のパネル、および第3のパネルを備え、第1のパネルは、第1の折り目ラインにより側壁部の側部エッジに沿って側壁部にヒンジ連結され、第2のパネルは、第2の折り目ラインにより第1のパネルにヒンジ連結され、第3のパネルは、第3の折り目ラインにより第2のパネルにヒンジ連結され、第3のパネルは、第4の折り目ラインにより端壁部の側部エッジに沿って端壁部にヒンジ連結され、第1の折り目ラインおよび第2の折り目ラインは、それらの間に第1の角度(α)を画定し、第2の折り目ラインおよび第4の折り目ラインは、それらの間に第2の角度(β+δ+ε)を画定し、第1の角度(α)および第2の角度(β+δ+ε)の和は、約90度に等しく、第1の角度(α)および第2の角度(β+δ+ε)はいずれも、45度に等しくない。
【００１８】
任意には、第1の角度(α)は、第2の角度(β+δ+ε)とは大きさが異なる。
【００１９】
任意には、複数のガセットパネルは、第1のパネル、第2のパネル、第3のパネル、および第4のパネルを備え、第1のパネルは、第1の折り目ラインにより側壁部の側部エッジに沿って側壁部にヒンジ連結され、第2のパネルは、第2の折り目ラインにより第1のパネルにヒンジ連結され、第3のパネルは、第3の折り目ラインにより第2のパネルにヒンジ連結され、第4のパネルは、第4の折り目ラインにより端壁部の側部エッジに沿って端壁部にヒンジ連結され、第4のパネルは、第5の折り目ラインにより第3のパネルにヒンジ連結され、第1の折り目ラインおよび第2の折り目ラインは、それらの間に第1の角度(α)を画定し、第5の折り目ラインおよび第4の折り目ラインは、それらの間に第3の角度(ε)を画定し、第1の角度(α)の2倍と第3の角度(ε)との和が、約90度にほぼ等しくてもよい(2α+ε≒90°)。
【００２０】
任意には、ブランクは、カバーを形成するための複数のパネルを備える。
【００２１】
任意には、カバーを形成するための複数のパネルのうちの1つが、トレーを形成するパネルのうちの1つにヒンジ連結される。
【００２２】
本願の範囲内において、前出の段落内、特許請求の範囲内、および/または以下の説明および図面内に示される様々な態様、実施形態、例、特徴、および代替例は、個別にまたはそれらの任意の組合せにおいて採用され得ることが予期される。例えば、一実施形態と組み合わせて説明される特徴は、特徴の不適合性を伴わない限りは、あらゆる実施形態に対して適用可能である。
【００２３】
以下、添付の図面を参照として本発明の実施形態を説明する。
【図面の簡単な説明】
【００２４】
【図１】本発明の第1の実施形態によるキャリアの蓋またはカバーを形成するためのブランクの上から見た平面図である。
【図２】図1のブランクを蓋またはカバーへと組み立てる段階を示す図である。
【図３】図1のブランクを蓋またはカバーへと組み立てる段階を示す図である。
【図４】図1のブランクから形成された蓋またはカバーの斜視図である。
【図５】本発明の第1の実施形態によるキャリアのトレーまたはベースを形成するためのブランクの上から見た平面図である。
【図６】図5のブランクをトレーまたはベースへと組み立てる段階を示す図である。
【図７】図5のブランクをトレーまたはベースへと組み立てる段階を示す図である。
【図８】図5のブランクをトレーまたはベースへと組み立てる段階を示す図である。
【図９】図1のブランクから形成されたトレーまたはベースの斜視図である。
【図１０】図9のトレーおよび図4のカバーから形成されたキャリアの斜視図である。
【図１１】一次製品および氷で装填された、拡張状態に展開された図9のトレーの斜視図である。
【図１２】一次製品および氷が図示のために除去されている、拡張状態で展開された図9のトレーの斜視図である。
【図１３】代替的な組立て方法により組み立てられた図5のブランクから形成されたトレーの斜視図である。
【図１４】本発明の第2の実施形態によるキャリアを形成するためのブランクの上から見た平面図である。
【発明を実施するための形態】
【００２５】
本明細書では、キャリア、パッケージ、ブランク、および組立て方法の具体的な実施形態の詳細な説明を開示する。開示される実施形態は、本発明の特定の態様が実装され得る方法の例に過ぎず、本発明が具現化され得る全方法の包括的リストを表すわけではない点が理解されよう。本明細書において、「例示の」という語は、図示、実例、モデル、またはパターンとしての役割を果たす実施形態を指すために包括的に使用される。実際に、本明細書において説明されるキャリア、パッケージ、ブランク、および方法は、様々なおよび代替的な形態で具現化され得る点が理解されよう。図面は、必ずしも縮尺通りではなく、いくつかの特徴は、特定の構成要素の細部を示すために誇張または極小化される場合がある。周知の構成要素、材料、または方法は、本開示の曖昧化を避けるために必ずしも非常に詳細には説明されない。本明細書において開示されるいかなる具体的な構造的および機能的詳細も、限定的なものとして解釈されるべきではなく、専ら特許請求の範囲のための土台としてのみ、および本発明の様々な使用を当業者に教示するための代表的土台としてのみ解釈されるべきである。
【００２６】
本明細書において詳述される実施形態において、「カートン」および「キャリア」という用語は、本発明の様々な特徴を示す非限定的な目的において、製品容器などの物品を係合、搬送、および/または供給するための容器を指す。本発明の教示は、テーパ状および/または円筒状であってもまたはなくてもよい様々な製品容器に対して適用され得ることが予期される。例示の容器としては、ボトル(例えば金属製、ガラス製、またはプラスチック製のボトル)、缶(例えばアルミニウム缶)、ブリキ缶、ポーチ、およびパケット等が含まれる。
【００２７】
ブランクは、適切な基層シートから形成される。本明細書において、「適切な基層」という用語は、ボール紙、段ボール紙、厚紙、プラスチック、およびそれらの組合せ等のあらゆる形態の折畳み可能シート材料を含む点を理解されたい。例えば以下でさらに詳細に説明されるキャリア構造体を提供するためなどに適した1つまたは他の個数のブランクが使用されてもよい点を理解されたい。
【００２８】
図示する実施形態において、ブランクは、例示的に配置された例示の物品を包装するためのカートンまたはキャリアを形成するように構成される。第1の図示する例示の実施形態において、この配置は、3×3行列であり、物品は、飲料缶である。代替的には、ブランクは、他のタイプ、個数、およびサイズの物品を包装するための、および/または異なる配置もしくは構成で物品を包装するためのキャリアを形成するように構成され得る。
【００２９】
本発明の目的は、底壁部、一対の側壁部、および一対の端壁部を有するトレーを備えるカートンを提供することである。トレーの各コーナーに位置する折畳み可能コーナー。各コーナーウェブは、端壁部および側壁部のそれぞれの隣接し合う側部エッジ間でヒンジ連結し、次から次へとヒンジ連結される複数のガセットパネルから形成される。固定フラップが、各側壁部の上方エッジにヒンジ連結され、ハンドルフラップを備える。トレーは、第1の初期形態から第2の拡張形態へと転換可能である。第2の拡張形態において、各コーナーの端壁部および側壁部の隣接し合う側部エッジが、離間され、各コーナーウェブは、部分的に拡げられた状態にある。トレーは、固定フラップにより第2の拡張形態にロック可能であり、固定フラップは、各コーナーウェブが固定フラップと側壁部の各1つとの間で折り畳まれ、ハンドルフラップが側壁部の1つのハンドオープニング内に受けられるロック位置へと折り曲げられる。
【００３０】
次に図1を参照すると、図10に示すようなキャリア90の上部カバーまたは蓋Tを形成するための第1のブランク10が示される。第1のブランク10は、複数の主要パネル12、14、16、18、20、22、24を備え、これらには第1のフラップ12、第1の内方側部パネル14、第1の外方側部パネル16、上部パネル18、第2の外方側部パネル20、第2の内方側部パネル22、および第2のフラップ24が含まれる。主要パネル12、14、16、18、20、22、24は、折り目ライン13、15、17、19、21、23の形態のヒンジ連結部により次から次へと直線直列状にヒンジ連結される。
【００３１】
ブランク10は、第1の内方端部パネル28a、第1の外方端部パネル26a、第2の外方端部パネル26b、および第2の内方端部パネル28bを備える。第1の内方端部パネル28aは、折り目ライン27aの形態のヒンジ連結部により第1の外方端部パネル26aにヒンジ連結される。第1の外方端部パネル26aは、折り目ライン25aの形態のヒンジ連結部により上部パネル18にヒンジ連結される。第2の内方端部パネル28bは、折り目ライン27bの形態のヒンジ連結部により第2の外方端部パネル26bにヒンジ連結される。第2の外方端部パネル26bは、折り目ライン25bの形態のヒンジ連結部により上部パネル18にヒンジ連結される。
【００３２】
第1の外方側部パネル16は、それぞれウェブ構造部W1、W2により第1の外方端部パネル26aおよび第2の外方端部パネル26bのそれぞれに結合される。
【００３３】
第2の外方側部パネル20は、それぞれウェブ構造部W3、W4により第1の外方端部パネル26aおよび第2の外方端部パネル26bのそれぞれに結合される。
【００３４】
ウェブ構造部W1、W2、W3、W4はそれぞれ、一対のウェブパネル30a/32a、30b/32b、30c/32c、30d/32dを備え、実質的に同一の構造であり、第1のウェブ構造部W1を参照することによりさらに詳細に説明される。
【００３５】
第1のウェブ構造部W1は、折り目ライン33aの形態のヒンジ連結部により第1の外方側部パネル16にヒンジ連結された第1のウェブパネル30aを備える。第2のウェブパネル32aが、折り目ライン35aの形態のヒンジ連結部により第2の外方端部パネル26bにヒンジ連結される。第2のウェブパネル32aは、折り目ライン31aの形態のヒンジ連結部により第1のウェブパネル30aにヒンジ連結される。第1のウェブパネル30aおよび第2のウェブパネル32aはそれぞれ、実質的に三角形の形状である。
【００３６】
折り目ライン33aは、折り目ライン25bと実質的に共線状である。折り目ライン33aは、折り目ライン25bと実質的に連続的である。折り目ライン35aは、折り目ライン17と実質的に共線状である。折り目ライン35aは、折り目ライン17と実質的に連続的である。
【００３７】
折り目ライン31aは、上部パネル18のコーナーから延在するように折り目ライン33a、35aにより形成される交点から延在する。
【００３８】
第1の内方側部パネル14は、折り目ライン51aの形態のヒンジ連結部によりその第1の端部エッジに沿ってヒンジ連結された第1の固定タブ50aを備える。第1の内方側部パネル14は、折り目ライン51bの形態のヒンジ連結部によりその第2の対向側の端部エッジに沿ってヒンジ連結された第2の固定タブ50bを備える。
【００３９】
第2の内方側部パネル22は、折り目ライン51cの形態のヒンジ連結部によりその第1の端部エッジに沿ってヒンジ連結された第3の固定タブ50cを備える。第2の内方側部パネル22は、折り目ライン51dの形態のヒンジ連結部により第2の対向側の端部エッジに沿ってヒンジ連結された第4の固定タブ50dを備える。
【００４０】
第1の内方端部パネル28aは、第1の破断部または凹部R2を備え、第1の破断部R2は、第1の内方端部パネル28aの第1の側部エッジから打抜き加工される。第1の内方端部パネル28aは、第2の破断部または凹部R3を備え、第2の破断部R3は、第1の内方端部パネル28aの第2の対向側の側部エッジから打抜き加工される。
【００４１】
第2の内方端部パネル28bは、第3の破断部または凹部R1を備え、第3の破断部R1は、第2の内方端部パネル28bの第1の側部エッジから打抜き加工される。第2の内方端部パネル28bは、第4の破断部または凹部R4を備え、第4の破断部R4は、第2の内方端部パネル28bの第2の対向側の側部エッジから打抜き加工される。
【００４２】
次に図5を参照すると、図10に示すキャリア90のベースまたはトレーを形成するための第2のブランク110が示される。第2のブランク110は、複数の主要パネル112/114、116、118、120、122/124を備え、これらは第1の上部フラップ112/114、第1の側部パネル116、ベースパネル118、第2の側部パネル120、および第2の上部フラップ122/124を含む。主要パネル112/114、116、118、120、122/124は、折り目ライン115、117、119、121の形態のヒンジ連結部により次から次へと直線直列状にヒンジ連結される。
【００４３】
第1の上部フラップ112/114は、折り目ライン115により第1の側部パネル116にヒンジ連結された近位部分114と遠位部分112とを少なくとも部分的に画定する折り目ライン113を備え、遠位部分112は、折り目ライン113により近位部分114にヒンジ連結される。
【００４４】
第1の上部フラップ112/114は、第1のハンドル開口を備え、第1のハンドル開口は、第1のハンドルフラップ160により少なくとも部分的に画定される。第1のハンドルフラップ160は、第1の上部フラップ112/114から打抜き加工され、折り目ライン161の形態のヒンジ連結部により第1の上部フラップ112/114にヒンジ連結される。第1のハンドル開口もしくは第1のハンドルフラップ160または第1のハンドル開口および第1のハンドルフラップ160の両方が、折り目ライン113に割り込む。第1のハンドルフラップ160は、折り目ライン161の両端部の一方から遠位部分112まで延在するほぼU字形状の分離ライン162により画定される。分離ライン162は、遠位部分112から近位部分114の折り目ライン161の他方の端部までさらに延在する。
【００４５】
第1の側部パネル116は、第1のハンドルアパーチャ（handle aperture）A1を備え、第1のハンドルアパーチャA1は、第1の側部パネル116から打抜き加工される。
【００４６】
第2の上部パネル122/124は、折り目ライン121により第2の側部パネル120にヒンジ連結された近位部分122と、遠位部分124とを少なくとも部分的に画定する折り目ライン123を備え、遠位部分124は、折り目ライン123により近位部分122にヒンジ連結される。
【００４７】
第2の上部フラップ122/124は、第2のハンドル開口を備え、第2のハンドル開口は、第2のハンドルフラップ160により少なくとも部分的に画定される。第2のハンドルフラップ160は、第2の上部フラップ122/124から打抜き加工され、折り目ライン161の形態のヒンジ連結部により第2の上部フラップ122/124にヒンジ連結される。第2のハンドル開口もしくは第2のハンドルフラップ160または第2のハンドル開口および第2のハンドルフラップ160の両方が、折り目ライン123に割り込む。第2のハンドルフラップ160は、折り目ライン161の両端部の一方から遠位部分124内に延在するほぼU字形状の分離ライン162により画定される。分離ライン162は、遠位部分124から近位部分122の折り目ライン161の他方の端部までさらに延在する。
【００４８】
第2の側部パネル120は、第2のハンドルアパーチャA2を備え、第2のハンドルアパーチャA2は、第2の側部パネル120から打抜き加工される。
【００４９】
第2のブランク110は、第1の端部パネル126aおよび第2の端部パネル126bを備える。第1の端部パネル126aは、折り目ライン125aの形態のヒンジ連結部によりベースパネル118にヒンジ連結される。第2の端部パネル126bは、折り目ライン125bの形態のヒンジ連結部によりベースパネル118にヒンジ連結される。
【００５０】
第1の側部パネル116は、それぞれコーナーウェブC1、C2により第1の端部パネル126aおよび第2の端部パネル126bのそれぞれの第1の端部に結合される。
【００５１】
第2の側部パネル120は、それぞれコーナーウェブC3、C4により第1の端部パネル126aおよび第2の端部パネル126bのそれぞれの第2の対向側の端部に結合される。
【００５２】
コーナーウェブC1、C2、C3、C4はそれぞれ、複数のガセットパネル140a、142a、144a、146aと、140b、142b、144b、146bと、140c、142c、144c、146cと、140d、142d、144d、146dとを備え、実質的に同一の構造であり、第1のコーナーウェブC1を参照することによりさらに詳細に説明される。
【００５３】
第1のコーナーウェブC1は、折り目ライン141aの形態のヒンジ連結部により第1の側部パネル116にヒンジ連結された第1のガセットパネル140aを備える。折り目ライン141aは、第1の側部パネル116の側部エッジを画定する。第2のガセットパネル142aが、折り目ライン143aの形態のヒンジ連結部により第1のガセットパネル140aにヒンジ連結される。第2のガセットパネル142aは、折り目ライン145aの形態のヒンジ連結部により第3のガセットパネル144aにヒンジ連結される。第3のガセットパネル144aは、折り目ライン147aの形態のヒンジ連結部によりオプションの第4のガセットパネル146aにヒンジ連結される。第4のガセットパネル146aは、折り目ライン149aの形態のヒンジ連結部により第2の端部パネル126bにヒンジ連結される。
【００５４】
いくつかの実施形態において、折り目ライン147aは、第4のガセットパネル146aが、第3のガセットパネル144aと一体であり、第3のガセットパネル144aおよび第4のガセットパネル146aが単一の第3のガセットパネル144a/146aとして見なされ得る、換言すれば第4のガセットパネル146aが省かれたと見なされ得るような実施形態となるように、省かれてもよい。かかる構成では、この単一のガセットパネル144a/146aは、折り目ライン149aの形態のヒンジ連結部により第2の端部パネル126bにヒンジ連結される。
【００５５】
折り目ライン149aは、第2の端部パネル126bの側部エッジを画定する。第2の端部パネル126bの側部エッジは、第1の側部パネル116の側部エッジに隣接し、組立状態では、第2の端部パネル126bの側部エッジは、初期位置すなわち組立て時定位置において第1の側部パネル116の側部エッジの隣にまたは近傍に配設される。第2の端部パネル126bの側部エッジは、初期位置すなわち組立て時定位置において第1の側部パネル116の側部エッジに対して実質的に平行に配設され、それぞれベースパネル118に対して実質的に垂直である。
【００５６】
第1のガセットパネル140a、第2のガセットパネル142a、第3のガセットパネル144a、および第4のガセットパネル146aはそれぞれ、実質的に三角形の形状である。
【００５７】
折り目ライン141aは、折り目ライン125bと実質的に共線状である。折り目ライン141aは、折り目ライン125bと実質的に連続的である。折り目ライン149aは、折り目ライン117と実質的に共線状である。折り目ライン149aは、折り目ライン117と実質的に連続的である。
【００５８】
折り目ライン145aは、ベースパネル118のコーナーから延在するように折り目ライン141a、149aにより形成される交点から延在する。
【００５９】
折り目ライン143a、147aは、折り目ライン141a、149aにより形成される交点に向かって延在する。
【００６０】
任意には、折り目ライン143a、147aは、折り目ライン141a、149aにより形成される交点に到達する前に終端する。このようにすることで、折り目ライン143a、147aの近位終端部は、折り目ライン141a、149aにより形成される交点から離間される。
【００６１】
図示する実施形態において、折り目ライン145aおよび折り目ライン149aは、それらの間に角度θ1を画定し、任意にはこの角度θ1は、45°である。図示する実施形態において、折り目ライン145aおよび折り目ライン141aは、それらの間に角度θ2を画定し、任意にはこのθ2は45°である。図示する実施形態において、折り目ライン145aおよび折り目ライン149aは、それらの間に角度θ1+θ2を画定し、任意にはこのθ1+θ2は90°である。
【００６２】
図示する実施形態において、折り目ライン141aおよび折り目ライン143aは、それらの間に角度αを画定し、任意にはこの角度αは36.6°である。図示する実施形態において、折り目ライン143aおよび折り目ライン145aは、それらの間に角度βを画定し、任意にはこの角度βは8.4°である。α+β=θ1となることが理解されよう。
【００６３】
図示する実施形態において、折り目ライン145aおよび折り目ライン147aは、それらの間の角度δを画定し、任意にはこの角度δは27.6°である。図示する実施形態において、折り目ライン147aおよび折り目ライン149aは、それらの間に角度εを画定し、任意にはこの角度εは17.4°である。δ+ε=θ2となることが理解されよう。
【００６４】
図2〜図4および図6〜図10に示すようなキャリアの構造を参照すると、キャリアは、キャリアがその組立てを完了させるために回転または反転される必要がないように、直線マシンにおいて一連の連続折畳み動作により形成され得ることが予期される。折畳みプロセスは、以下に説明されるものに限定されず、特定の製造要件に応じて変更され得る。
【００６５】
図2〜図4を参照すると、第1のブランク10の非印刷面が、外方または上方に向いた状態で、接着剤Gまたは他の接着処理が、第1の外方端部パネル26aに適用され、接着剤Gまたは他の接着処理が、第2の外方端部パネル26bに適用される。代替的な実施形態において、接着剤または接着処理は、第1の内方端部パネル28aおよび第2の内方端部パネル28bのそれぞれに適用され得る。
【００６６】
第1のブランク10は、図3に示す方向矢印D1により示されるように折り目ライン27aを中心として折り曲げられて、第1の内方端部パネル28aを第1の外方端部パネル26aと平坦面接触関係におく。第1の内方端部パネル28aは、第1の外方端部パネル26aに固定される。
【００６７】
第1のブランク10は、図3に示す方向矢印D2により示されるように折り目ライン27bを中心として折り曲げられて、第2の内方端部パネル28bを第2の外方端部パネル26bと平坦面接触関係におく。第2の内方端部パネル28bは、第2の外方端部パネル26bに固定される。
【００６８】
部分組立てされた平坦形状の第1のブランク10は、その状態において転換プラントに輸送され得る。そこで、部分組立てされた平坦形状の第1のブランク10は、キャリア90の上部カバーTを形成するために一方の端部にて閉じられたチューブ構造へと組み立てられる。
【００６９】
部分組立てされた平坦形状の第1のブランク10は、折り目ライン25a(および折り目ライン33a、33d)を中心として第1の外方端部パネル26aを折り畳むことにより組み立てられて、第1の外方端部パネル26a(および結果として第1の内方端部パネル28a)、第1のウェブパネル30a、ならびに第7のウェブパネル30dが、上部パネル18と実質的に垂直関係におかれる。第2の外方端部パネル26bは、折り目ライン25b(および折り目ライン33b、33c)を中心として折り畳まれて、第2の外方端部パネル26b(および結果として第2の内方端部パネル28b)、第3のウェブパネル30b、ならびに第5のウェブパネル30cは、上部パネル18と実質的に垂直関係におかれる。
【００７０】
第1のウェブパネル30aおよび第3のウェブパネル30bは、それぞれ折り目ライン33a、33bを中心として折り畳まれて、第1の外方側部パネル16と対面関係に配設される。結果として、第1の外方側部パネル16は、折り目ライン17を中心として折り畳まれ、第2のウェブパネル32aおよび第4のウェブパネル32bは、それぞれ折り目ライン31aおよび35a、31bおよび35bを中心として折り畳まれる。
【００７１】
第1の内方側部パネル14は、折り目ライン15を中心として折り畳まれて、第1の外方側部パネル16と対面関係に配設されることにより、第1のウェブパネル30aおよび第2のウェブパネル32aならびに第3のウェブパネル30bおよび第4のウェブパネル32bは、相互に対面関係に配設され、第1の内方側部パネル14と第1の外方側部パネル16との間に配設される。
【００７２】
第1の固定タブ50aおよび第2の固定タブ50bは、それぞれ折り目ライン51a、51bを中心として折り曲げられる。
【００７３】
第1のフラップ12は、折り目ライン13を中心として折り畳まれ、第1のフラップ12は、上部パネル18と面接触関係におかれる。
【００７４】
第1の固定タブ50aおよび第2の固定タブ50bは、第1の外方端部パネル26aおよび第2の外方端部パネル26bのそれぞれ一方と面接触関係におかれる。
【００７５】
第1の固定タブ50aは、第3の破断部R1により画定された第2の内方端部パネル28bの自由エッジにより係合される。
【００７６】
第2の固定タブ50bは、第1の破断部R2により画定された第1の内方端部パネル28aの自由エッジにより係合される。
【００７７】
このようにすることで、第1の固定タブ50aおよび第2の固定タブ50bは、それぞれ第3の破断部R1および第1の破断部R2と相互作用および当接して、第1の外方側部パネル16(および結果として第1の内方側部パネル14)が上部パネル18に対して実質的に垂直に配向される折畳み位置へと第1の外方側部パネル16をロックする。
【００７８】
第7のウェブパネル30dおよび第5のウェブパネル30cは、それぞれ折り目ライン33d、33cを中心として折り畳まれて、第2の外方側部パネル20と対面関係に配設される。結果として、第2の外方側部パネル20は、折り目ライン19を中心として折り畳まれ、第6のウェブパネル32cおよび第8のウェブパネル32dは、それぞれ折り目ライン31cおよび35cならびに31dおよび35dを中心として折り畳まれる。
【００７９】
第2の内方側部パネル22は、折り目ライン21を中心として折り畳まれ第2の外方側部パネル20と対面関係に配設され、それにより第5のウェブパネル30cおよび第6のウェブパネル32cならびに第7のウェブパネル30dおよび第8のウェブパネル32dは、相互に対面関係に配設され、第2の内方側部パネル22と第2の外方側部パネル20との間に配設される。
【００８０】
第3の固定タブ50cおよび第4の固定タブ50dは、それぞれ折り目ライン51cおよび51dを中心として折り畳まれる。
【００８１】
第2のフラップ24は、折り目ライン23を中心として折り畳まれ、第2のフラップ24は、上部パネル18と面接触関係におかれる。
【００８２】
第3の固定タブ50cおよび第4の固定タブ50dは、それぞれ第1の外方端部パネル26aおよび第2の外方端部パネル26bと面接触関係におかれる。
【００８３】
第3の固定タブ50cは、第2の破断部R3により画定された第1の内方端部パネル28aの自由エッジにより係合される。
【００８４】
第4の固定タブ50dは、第4の破断部R4により画定された第2の内方端部パネル28bの自由エッジにより係合される。
【００８５】
このようにすることで、第3の固定タブ50cおよび第4の固定タブ50dは、それぞれ第2の破断部R3および第4の破断部R4と相互作用および当接して、第2の外方側部パネル22(および結果として第2の内方側部パネル20)が上部パネル18と実質的に垂直に配向される折畳み位置に第2の外方側部パネル22をロックする。
【００８６】
図4は、組立状態にあるキャリア90の上部カバーTを示す。
【００８７】
図6および図7を参照すると、第2のブランク110の非印刷面が外方または上方に向いた状態で、接着剤Gまたは他の接着処理が、第1の側部パネル116に適用され、接着剤Gまたは他の接着処理が、第2の側部パネル120に適用される。代替的な実施形態において、接着剤または接着処理は、第1のガセットパネル140a、第5のガセットパネル140b、第9のガセットパネル140c、および第13のガセットパネル140dに対して適用される。
【００８８】
第2のブランク110は、図7で方向矢印D3により示されるように折り目ライン125b(および折り目ライン141a、141d)を中心として折り畳まれて、第2の端部パネル126bをベースパネル118と平坦面接触関係におく。
【００８９】
第1のガセットパネル140aは、第1の側部パネル116と面接触関係におかれ、第13のガセットパネル140dは、第2の側部パネル120と面接触関係におかれる。
【００９０】
第1のガセットパネル140aは、第1の側部パネル116に固定される。第13のガセットパネル140dは、第2の側部パネル120に固定される。
【００９１】
第2のブランク110は、図7で方向矢印D4により示されるように折り目ライン125a(および折り目ライン141b、141c)を中心として折り畳まれて、第1の端部パネル126aをベースパネル118と重畳関係におき、第2の端部パネル126bと部分的重畳関係におく。第2の端部パネル126bは、第1の端部パネル126aとベースパネル118との間に部分的に配設される。
【００９２】
第5のガセットパネル140bは、第1の側部パネル116と面接触関係におかれ、第9のガセットパネル140dは、第2の側部パネル120と面接触関係におかれる。
【００９３】
第5のガセットパネル140bは、第1の側部パネル116に固定される。第9のガセットパネル140cは、第2の側部パネル120に固定される。
【００９４】
部分組立てされた平坦形状の第2のブランク110は、その状態において転換プラントに輸送され得る。そこで、部分組立てされた平坦形状の第2のブランク110は、キャリア90のトレーBを形成するために一方の端部にて閉じられたチューブ構造へと組み立てられる。
【００９５】
部分組立てされた平坦形状の第2のブランク110は、図8で方向矢印D5により示されるように折り目ライン117を中心として第1の側部パネル116を折り畳むことにより組み立てられて、第1の側部パネル116をベースパネル118と実質的に垂直関係におく。第2の側部パネル120は、図8で方向矢印D6により示されるように折り目ライン119を中心として同時に折り畳まれて、第2の側部パネル120を上部パネル18と実質的に垂直関係におく。
【００９６】
コーナーウェブC2、C3は、第1の端部パネル126aに第1の側部パネル116および第2の側部パネル120を結合する。第2のコーナーウェブC2は、折り目ライン145b、149bを中心として折り畳まれ、第3のコーナーウェブC3は、折り目ライン145c、149cを中心として折り畳まれる。そうすることにおいて、第1の端部パネル126aは、図8で方向矢印D7により示されるようにベースパネル118に対して折り目ライン125aを中心として部分的に拡げられて、ベースパネル118と実質的に垂直関係におかれる。
【００９７】
コーナーウェブC1、C4は、第2の端部パネル126bに第1の側部パネル116および第2の側部パネル120を結合する。第1のコーナーウェブC1は、折り目ライン145a、149aを中心として折り畳まれ、第4のコーナーウェブC4は、折り目ライン145d、149dを中心として折り畳まれる。そうすることにおいて、第2の端部パネル126bは、図8で方向矢印D8により示されるようにベースパネル118に対して折り目ライン125bを中心として部分的に拡げられて、ベースパネル118と実質的に垂直関係におかれる。
【００９８】
キャリア90のトレーBは、かように形成されたチューブ構造の開口端部を通して物品Cを装填され得る。
【００９９】
次いで、第1の上部フラップ112/114は、物品Cの少なくとも一部分に重畳するように折り目ライン115を中心として折り畳まれる。
【０１００】
次いで、第2の上部フラップ122/124は、物品Cの少なくとも一部分に重畳するように折り目ライン121を中心として折り畳まれる。
【０１０１】
図9は、直立および装填状態にあるキャリア90のトレーBを示す。トレーBは、図9では初期形状すなわち組立て時定形状（initial or stowed form）で示され、第2の端部パネル126bの側部エッジが、第1の側部パネル116の側部エッジに隣接し、組立状態において、第2の端部パネル126bの側部エッジは、初期位置すなわち組立て時定位置（initial or stowed position）で第1の側部パネル116の側部エッジの隣にまたは近傍に配設される。第2の端部パネル126bの側部エッジは、初期位置すなわち組立て時定位置において第1の側部パネル116の側部エッジに対して実質的に平行に配設され、それぞれベースパネル118に対して実質的に垂直である。トレーBの他方のコーナーに位置する側部パネル116、120および端部パネル126a、126bの他方の隣接配設された側部エッジは、同様に配置される。
【０１０２】
この組立て時定状態において、コーナーウェブC1、C2、C3、C4は、完全折畳み状態に配設される。すなわち、コーナーウェブC1、C2、C3、C4は、トレーBの実質的に内部に配設される。第1のコーナーウェブC1を参照すると、第3のガセットパネル144aは、第2のガセットパネル142aと対面関係または重畳関係に配設され、第1のガセットパネル140aの第1の部分と対面関係または重畳関係に配設される。第4のガセットパネル146aは、第1のガセットパネル140aの第2の部分と対面関係または重畳関係に配設される。
【０１０３】
次いで、上部カバーTは、キャリアを形成するためにトレーBに適用されることが可能となり、装填されたキャリアは、図10に示すようにパッケージ190を形成する。上部カバーTのチューブ構造は、トレーBのチューブ構造の少なくとも上方部分を受けるのに十分な内部寸法を備える。締り嵌めを形成するために、上部カバーTのチューブ構造の内部寸法は、トレーBのチューブ構造の外部寸法と実質的に同様または同等である。
【０１０４】
上部カバーTは、直立状態にトレーBを維持する。
【０１０５】
トレーBは、図9に示す組立て時定状態から図11および図12に示す拡張状態へと変形され得る。
【０１０６】
第1の端部パネル126aおよび第2の端部パネル126bは、図12でそれぞれ方向矢印D9およびD10により示されるように外方に変位され得る。第1の端部パネル126aは、折り目ライン125aを中心としてベースパネル118に対して拡げられる。第2の端部パネル126bは、折り目ライン125bを中心としてベースパネル118に対して拡げられる。
【０１０７】
第1のコーナーウェブC1は、折り目ライン143aを中心として折り畳まれ、折り目ライン145aを中心として拡げられる。第2のガセットパネル142aは、第1のガセットパネル140aに対して折り畳まれる。第2のガセットパネル142aは、第3のガセットパネル144aおよび第4のガセットパネル146aと実質的に平坦関係に配設される。
【０１０８】
第4のガセットパネル146aは、外方に移動され、視界にさらされた状態になる。
【０１０９】
第2のコーナーウェブC2は、折り目ライン143bを中心として折り畳まれ、折り目ライン145bを中心として拡げられる。第6のガセットパネル142bは、第5のガセットパネル140bに対して折り畳まれる。第6のガセットパネル142bは、第7のガセットパネル144bおよび第8のガセットパネル146bと実質的に平坦関係に配設される。
【０１１０】
第8のガセットパネル146bは、外方に移動され、視野にさらされた状態になる。
【０１１１】
第3のコーナーウェブC3は、折り目ライン143cを中心として折り畳まれ、折り目ライン145cを中心として拡げられる。第10のガセットパネル142cは、第9のガセットパネル140cに対して折り畳まれる。第10のガセットパネル142cは、第11のガセットパネル144cおよび第12のガセットパネル146cと実質的に平坦関係に配設される。
【０１１２】
第12のガセットパネル146cは、外方に移動され、視野にさらされた状態になる。
【０１１３】
第4のコーナーウェブC4は、折り目ライン143dを中心として折り畳まれ、折り目ライン145dを中心として拡げられる。
【０１１４】
第14のガセットパネル142dは、第13のガセットパネル140dに対して折り畳まれる。第14のガセットパネル142dは、第15のガセットパネル144dおよび第16のガセットパネル146dと実質的に平坦関係に配設される。
【０１１５】
第16のガセットパネル146dは、外方に移動され、視野にさらされた状態になる。
【０１１６】
トレーBは、第1の上部フラップ112/114および第2の上部フラップ122/124により図11および図12に示される拡張状態に保持される。
【０１１７】
第1の上部フラップ112/114は、トレーBの内方に折り畳まれて、第2のガセットパネル142a、第3のガセットパネル144a、第6のガセットパネル142b、および第7のガセットパネル144bと面接触関係に配設される。
【０１１８】
第1のハンドルフラップ160は、折り目ライン161を中心として外方に折り畳まれ、第1の側部パネル116に設けられた第1のハンドルアパーチャA1内に受けられる。第1のハンドルフラップ160は、第1のハンドルアパーチャA1とロック係合状態に係合するように寸法設定および/または形状設定される。第1のハンドルフラップ160は、第1のハンドルアパーチャA1よりも幅広のショルダを備え、それにより第1のハンドルフラップ160が第1のハンドルアパーチャA1から係合解除するのを防止または少なくとも阻止する。これは、第1のコーナーウェブC1および第2のコーナーウェブC2の近傍に第1の上部フラップ112/114を固定または保持する効果を有する。
【０１１９】
第1の上部フラップ112/114は、第1の側部パネル116と隣接列の物品Cとの間への第1の固定パネル112/114の挿入を容易にするように折り目ライン113を中心として折り畳まれ得る。
【０１２０】
第2の上部フラップ122/124は、トレーBの内方に折り畳まれて、第10のガセットパネル142c、第11のガセットパネル144c、第14のガセットパネル142d、および第15のガセットパネル144dと面接触関係に配設される。
【０１２１】
第2のハンドルフラップ160は、折り目ライン161を中心として外方に折り畳まれ、第2の側部パネル120に設けられた第2のハンドルアパーチャA2内に受けられる。第2のハンドルフラップ160は、第2のハンドルアパーチャA2とロック係合状態に係合するように寸法設定および/または形状設定される。第2のハンドルフラップ160は、第2のハンドルアパーチャA2よりも幅広のショルダを備え、それにより第2のハンドルフラップ160が第2のハンドルアパーチャA2から係合解除するのを防止または少なくとも阻止する。
【０１２２】
これは、第3のコーナーウェブC3および第4のコーナーウェブC4の近傍に第2の上部フラップ122/124を固定または保持する効果を有する。
【０１２３】
拡張状態において、第2の端部パネル126bの側部エッジは、第1の側部パネル116の側部エッジおよび第2の側部パネル120の側部エッジから離れるように移動されてそれらから離間される。同様に、第1の端部パネル126aの側部エッジは、第1の側部パネル116および第2の側部パネル120の両側部エッジから離れるように移動される。
【０１２４】
第2の端部パネル126bの各側部エッジは、第1の側部パネル116または第2の側部パネル120の隣接する側部エッジに対して非平行に配設されるかまたは末広がり状に配置される。
【０１２５】
この拡張状態において、コーナーウェブC1、C2、C3、C4は、部分的に拡げられた状態に配設される。すなわち、コーナーウェブC1、C2、C3、C4の部分が、外部に配設され、トレーBの外部にて視認可能となる。第1のコーナーウェブC1を参照すると、第4のガセットパネル146aまたはその少なくとも一部分が、キャリアの外壁部の一部を形成し、トレーBのコーナーパネルを形成すると見なされ得る。第4のガセットパネル146aは、第1の側部パネル116により隠される隠蔽位置から露出位置または外部位置へと外方に移動される。
【０１２６】
拡張状態において、トレーBの内部容積は、組立て時定状態に比べて増大される。これにより、ユーザは、図11に示すようにトレーB内に水または氷などの追加アイテムを挿入することが可能となる。
【０１２７】
コーナーウェブC1、C2、C3、C4は、トレーBにより保持される水または氷の保持を容易にするようにトレーBのコーナーを閉じるまたは封止する。
【０１２８】
いくつかの実施形態において、トレーBは、ボール紙材料から形成され、ボール紙材料は、耐水性材料または防水性材料でコーティングまたは積層され得る。
【０１２９】
一用途では、トレーBは、一次製品容器を冷却するための氷バケツを形成するが、他の用途では、トレーは、限定するものではないが例えば熱湯が追加されるドライ飲料品またはドライ食料品の輸送など、テーブルウェアアイテムとして使用される。
【０１３０】
本開示の1つの利点は、組立て時定状態においては一次製品の周囲において締り嵌めを形成し、拡張状態においては一次製品の使用時点にてユーザによるキャリアへの補足アイテムの追加を可能にする、一次製品用のキャリアが形成され得る点である。このようにすることで、一次製品は輸送中に十分に保護され、キャリアのサイズは最小限に抑えられ、したがって発送コストが削減される。
【０１３１】
図13は、トレーB'内への第2のブランク110の組込みの代替的な方法を示す。コーナーウェブC1、C2、C3、C4は、第1の側部パネル116および第2の側部パネル120の外部に配置される。
【０１３２】
第1のガセットパネル140a、第5のガセットパネル140b、第9のガセットパネル140c、および第13のガセットパネル140dは、第1の側部パネル116および第2の側部パネル120のそれぞれ一方と面接触関係に保持される。第1の上部フラップ112/114および第2の上部フラップ122/124は、折り目ライン115、121を中心として下方に折り畳まれて外部に配設される。第1の上部フラップ112/114および第2の上部フラップ122/124は、各コーナーウェブC1、C2、C3、C4の近傍に保持される。第1のハンドルフラップおよび第2のハンドルフラップ160は、それぞれ第1のハンドルアパーチャA1および第2のハンドルアパーチャA2内に挿入され、したがって第1の上部フラップ112/114および第2の上部フラップ122/124を定位置に固定する。このようにすることで、トレーB'は、組立て時定状態および拡張状態の両方において、のり(glue)または接着剤(adhesive)の使用を伴わずに直立状態に保持され得る。
【０１３３】
次に図14を参照すると、本発明の代替的な実施形態が示される。この図示する代替的な実施形態において、同様の数字は、可能である場合には同様のパーツを示すために使用されているが、これらの特徴部が代替的な実施形態に属するものであることを示すために「1000」が加算されている。代替的な実施形態は、多数の共通特徴部を図1〜図13の実施形態と共有し、したがって図1〜図13に示される実施形態との相違点のみが、任意のさらなる詳細度で説明される。
【０１３４】
キャリアのトレーと上部カバーまたは蓋とを形成するための単体ブランク1010が示される。第1のブランク1010は、上部カバーを形成するための複数の主要パネル1012、1014、1016、1018、1020、1022、1024を備える第1の部分T''と、トレーを形成するための複数の主要パネル1112、1114、1116、1118、1120、1122、1124を備える第2の部分B''と備える。
【０１３５】
第2の部分B''は、第2の端部パネル1126Bに第1の部分T''が追加されることを除いては、第2のブランク110と実質的に同一の構造であり、第2の端部パネル1126Bは、折り目ライン1080の形態のヒンジ連結部により第2の端部パネル1126Bの端部エッジにヒンジ連結される。第2の端部パネル1126Bの端部エッジは、ベースパネル1118に第2の端部パネル1126Bをヒンジ連結する折り目ライン1125Bにより画定される第2の端部エッジの対向側に位置する。
【０１３６】
第1の部分T''は、第1のフラップ1012、第1の内方側部パネル1014、第1の外方側部パネル1016、上部パネル1018、第2の外方側部パネル1020、第2の内方側部パネル1022、および第2のフラップ1024を備える。主要パネル1012、1014、1016、1018、1020、1022、1024は、折り目ライン1013、1015、1017、1019、1021、1023の形態のヒンジ連結部により次から次へと直線直列状にヒンジ連結される。
【０１３７】
ブランク1010は、内方端部パネル1028bおよび外方端部パネル1026aを備える。内方端部パネル1028bは、折り目ライン1027bの形態のヒンジ連結部により外方端部パネル1026bにヒンジ連結される。外方端部パネル1026aは、折り目ライン1025aの形態のヒンジ連結部により上部パネル1018にヒンジ連結される。
【０１３８】
第1の外方側部パネル1016は、第1のウェブ構造部W1により外方端部パネル1026bに結合される。第2の外方側部パネル1020は、第4のウェブ構造部W4により外方端部パネル1026bに結合される。
【０１３９】
第1のウェブ構造部W1は、折り目ライン1033aの形態のヒンジ連結部により第1の外方側部パネル1016にヒンジ連結された第1のウェブパネル1030aを備える。第2のウェブパネル1032aが、折り目ライン1035aの形態のヒンジ連結部により第2の外方端部パネル1026bにヒンジ連結される。第2のウェブパネル1032aは、折り目ライン1031aの形態のヒンジ連結部により第1のウェブパネル1030aにヒンジ連結される。第1のウェブパネル1030aおよび第2のウェブパネル1032aはそれぞれ、実質的に三角形の形状である。
【０１４０】
折り目ライン1033aは、折り目ライン1025bと実質的に共線状である。折り目ライン1033aは、折り目ライン1025bと実質的に連続的である。折り目ライン1035aは、折り目ライン1017と実質的に共線状である。折り目ライン1035aは、折り目ライン1017と実質的に連続的である。
【０１４１】
折り目ライン1031aは、上部パネル1018のコーナーから延在するように折り目ライン1033a、1035aにより形成される交点から延在する。
【０１４２】
第4のウェブ構造部W4は、折り目ライン1033dの形態のヒンジ連結部により第2の外方側部パネル1020にヒンジ連結された第7のウェブパネル1030dを備える。第8のウェブパネル1032dが、折り目ライン1035dの形態のヒンジ連結部により外方端部パネル1026bにヒンジ連結される。第8のウェブパネル1032dは、折り目ライン1031dの形態のヒンジ連結部により第7のウェブパネル1030dにヒンジ連結される。第7のウェブパネル1030dおよび第8のウェブパネル1032dは、実質的に三角形の形状である。
【０１４３】
折り目ライン1033dは、折り目ライン1025bと実質的に共線状である。折り目ライン1033dは、折り目ライン1025bと実質的に連続的である。折り目ライン1035dは、折り目ライン1017と実質的に共線状である。折り目ライン1035aは、折り目ライン1017と実質的に連続的である。
【０１４４】
折り目ライン1031dは、上部パネル1018のコーナーから延在するように折り目ライン1033d、1035dにより形成される交点から延在する。
【０１４５】
第1の内方側部パネル1014は、第1のロックタブ1070aおよび第2のロックタブ1070bを備える。第1のロックタブ1070aおよび第2のロックタブ1070bは、第1の内方側部パネル1014と一体的に形成され、第1のフラップ1012を他方において形成する材料から打抜き加工される。第1のロックタブ1070aおよび第2のロックタブ1070bは、実質的に「U字」形状である切込みラインにより少なくとも部分的に画定され、これらの切込みラインは、第1のロックタブ1070aおよび第2のロックタブ1070bが折り目ライン1013から外方に延在するように折り目ライン1013に割り込む。
【０１４６】
第1の外方側部パネル1016は、第1の受け部1072aおよび第2の受け部1072bを備える。第1の受け部1072aおよび第2の受け部1072bは、実質的に「U字」形状である切込みラインにより形成され、これらの切込みラインは、第1の受け部1072aおよび第2の受け部1072bが折り目ライン1017から内方に延在し、上部パネル1018内に少なくとも部分的に画定されるように、折り目ライン1017に割り込む。切込みラインは、第1のロックタブ1070aおよび第2のロックタブ1070bのそれぞれ一方を受けるスロットまたはスリットを折り目ライン1017の近くに形成する。
【０１４７】
第2の内方側部パネル1022は、第3のロックタブ1078aおよび第4のロックタブ1078bを備える。第3のロックタブ1078aおよび第4のロックタブ1078bは、第2の内方側部パネル1020と一体的に形成され、第2のフラップ1024を他方において形成する材料から打抜き加工される。第3のロックタブ1078aおよび第4のロックタブ1078bは、実質的に「U字」形状である切込みラインにより少なくとも部分的に画定され、これらの切込みラインは、第3のロックタブ1078aおよび第4のロックタブ1078bが折り目ライン1023から外方に延在するように折り目ライン1023に割り込む。
【０１４８】
第2の外方側部パネル1020は、第3の受け部1076aおよび第4の受け部1076bを備える。第3の受け部1076aおよび第4の受け部1076bは、実質的に「U字」形状である切込みラインにより形成され、これらの切込みラインは、第3の受け部1076aおよび第4の受け部1076bが、折り目ライン1019から内方に延在し、上部パネル1018内に少なくとも部分的に画定されるように、折り目ライン1019に割り込む。切込みラインは、第3のロックタブ1078aおよび第4のロックタブ1078bのそれぞれ一方を受けるスロットまたはスリットを折り目ライン1019の近くに形成する。
【０１４９】
外方端部パネル1026bは、第5の受け部1074aおよび第6の受け部1074bを備える。第5の受け部1074aおよび第6の受け部1074bは、実質的に「U字」形状である切込みラインにより形成され、これらの切込みラインは、第5の受け部1074aおよび第6の受け部1074bが、折り目ライン1025bから外方に延在し、外方端部パネル1026b内に少なくとも部分的に画定されるように、折り目ライン1025bに割り込む。切込みラインは、第1の保持タブ1054および第2の保持タブ1056のそれぞれ一方を受けるスロットまたはスリットを折り目ライン1025bの近くに形成する。
【０１５０】
第1の保持タブ1054は、第1のフラップ1012と一体的に形成され、折り目ライン1013により画定された側部エッジに隣接する端部エッジから延在する。
【０１５１】
第2の保持タブ1056は、第2のフラップ1024と一体的に形成され、折り目ライン1023により画定された側部エッジに隣接する端部エッジから延在する。
【０１５２】
内方側部パネル1022は、折り目ライン1053aの形態のヒンジ連結部により第1の側部エッジに沿ってヒンジ連結された第1の固定タブ1052aを備える。第2の内方側部パネル1022は、折り目ライン1053bの形態のヒンジ連結部により第2の対向側の側部エッジに沿ってヒンジ連結された第2の固定タブ1052bを備える。
【０１５３】
上部パネル1018は、折り目ライン1080により第2の部分B''の第2の端部パネル1126bにヒンジ連結される。
【０１５４】
第2の部分B''は、第1の実施形態の第2のブランク110に関連して上述した同一の方法に実質的にしたがってトレーまたはベースへと組み立てられ得る。
【０１５５】
ブランク1010の第1の部分T''は、上部カバーへと組み立てられ、いかなるのりまたは接着剤も必要としない。
【０１５６】
第1の外方側部パネル1016および第2の外方側部パネル1020は、それぞれ折り目ライン1017、1019を中心として折り畳まれて、上部パネル1018に対して実質的に垂直になる。
【０１５７】
次いで、外方端部パネル1026bは、折り目ライン1025bを中心として折り畳まれる。第1のウェブ構造部W1および第4のウェブ構造部W4は、それぞれ折り目ライン1033a、1031a、1035aおよび1033d、1031d、1035dを中心として折り畳まれる。第1のウェブ構造部W1は、第1のウェブパネル1030aが第2のウェブパネル1032aと対面関係になるように折り畳まれる。第1のウェブ構造部W1は、第1のウェブパネル1030aが第1の外方側部パネル1016と面接触関係になるように折り畳まれる。代替的には、第1のウェブ構造部W1は、第2のウェブパネル1032aが外方端部パネル1026bと面接触関係になるように折り畳まれ得る。
【０１５８】
第4のウェブ構造部W4は、第7のウェブパネル1030dが第8のウェブパネル1032dと対面関係になるように折り畳まれる。第4のウェブ構造部W4は、第7のウェブパネル1030dが第2の外方側部パネル1020と面接触関係になるように折り畳まれる。代替的には、第4のウェブ構造部W4は、第8のウェブパネル1032dが外方端部パネル1026bと面接触関係になるように折り畳まれ得る。
【０１５９】
次いで、内方端部パネル1028bは、折り目ライン1027bを中心として折り畳まれて、外方端部パネル1026bと対面関係になる。
【０１６０】
第1の固定タブ1052aおよび第2の固定タブ1052bは、それぞれ折り目ライン1053aおよび折り目ライン1053bを中心として折り畳まれる。第1の固定タブ1052aは、第1の外方側部パネル1016と面接触関係に配設される。第2の固定タブ1052bは、第2の外方側部パネル1020と面接触関係に配設される。
【０１６１】
次いで、第1の内方側部パネル1014は、第1の外方側部パネル1016と面接触関係になるように折り目ライン1015を中心として折り畳まれ、そうすることにおいて、第1のウェブ構造部W1および第1の固定タブ1052aは、第1の内方側部パネル1014と第1の外方側部パネル1016との間に挟まれるようにこれらの間に配設される。
【０１６２】
第1のフラップ1012は、折り目ライン1013を中心として折り畳まれ、上部パネル1018と面接触関係におかれる。第1のロックタブ1070aは、第1の受け部1072a内に受けられ、第2のロックタブ1070bは、第2の受け部1072b内に受けられて、第1の内方側部パネル1014および第1の外方側部パネル1016を共に固定する。
【０１６３】
次いで、第2の内方側部パネル1022は、第2の外方側部パネル1020と面接触関係になるように折り目ライン1021を中心として折り畳まれ、そうすることにおいて、第4のウェブ構造部W4および第2の固定タブ1052bは、第2の内方側部パネル1022と第2の外方側部パネル1020との間に挟まれるようにそれらの間に配設される。
【０１６４】
第2のフラップ1024は、折り目ライン1023を中心として折り畳まれ、上部パネル1018と面接触関係におかれる。第3のロックタブ1078aは、第3の受け部1076a内に受けられ、第4のロックタブ1078bは、第4の受け部1076b内に受けられて、第2の内方側部パネル1022および第2の外方側部パネル1020を共に固定する。
【０１６５】
このようにすることで、両側壁部およびそれらの間に延在する端壁部を有するカバーまたは上部パネルを有する上部カバーが形成される。上部カバーは、ブランク1010の第2の部分B''から形成されたベースまたはトレーにヒンジ連結される。上部カバーは、折り目ライン1080を中心として折り畳まれて、ブランク1010から形成されたキャリアを閉じる。
【０１６６】
本開示は、トレーBを備えるカートンまたはキャリアを提供する。このトレーは、底壁部118と、一対の側壁部116、120と、一対の端壁部126a、126bと、トレーBの各コーナーに折畳み可能コーナーウェブC1、C2、C3、C4とを備える。各コーナーウェブは、端壁部116、120および側壁部126a、126bのそれぞれの隣接し合う側部エッジ間をヒンジ連結し、次から次へとヒンジ連結された複数のガセットパネルを各コーナーウェブが備える。固定フラップ112/114、122/124は、各側部パネル116、120の上方エッジにヒンジ連結される。トレーBは、それぞれのコーナーウェブC1、C2、C3、C4が完全折畳み位置にある状態で、トレーの各コーナーの端壁部116、120および側壁部126a、126bの隣接し合う側部エッジが相互に実質的に隣に配設される第1の初期形態から、それぞれのコーナーウェブC1、C2、C3、C4が部分的に拡げられた位置にある状態で、各コーナーの端壁部116、120および側壁部126a、126bの隣接し合う側部エッジが離間される第2の拡張形態へと転換可能である。トレーBは、固定フラップ112/114、122/124により第2の拡張形態にロック可能である。固定フラップ112/114、122/124は、各コーナーウェブC1、C2、C3、C4が固定フラップ112/114、122/124と側壁部116、120のそれぞれ一方との間に挟み込まれるまたは折り畳まれるロック位置へと折り曲げられる。固定フラップ112/114、122/124のハンドルフラップ160は、側壁部116、120の一方のハンドオープニング（hand opening）内に受けられる。
【０１６７】
トレーBは、カバーTがトレーBの側部パネルおよび端部パネルの輪郭に少なくとも沿って配設されるようにトレーBに係合されたカバーTによって、第1の初期形態にロックされ得る。任意には、カバーTは、トレーBにヒンジ連結される。
【０１６８】
任意には、コーナーウェブの複数のガセットパネルが、隣接し合う端壁部116、120および側壁部126a、126bの側部エッジ141a、149aのほぼ交差部上に概念上の収束点を有する複数の収束折り目ラインによって、次から次へとヒンジ連結される。
【０１６９】
いくつかの実施形態において、複数のガセットパネルは、第1のパネル140a、140b、140c、140dと、第2のパネル142a、142b、142c、142dと、第3のパネル144a/146a、144b/146b、144c/146c、144d/146dとを備える。第1のパネル140a、140b、140c、140dは、第1の折り目ライン141a、141b、141c、141dにより側壁部116、120の側部エッジに沿って側壁部116、120にヒンジ連結される。第2のパネル142a、142b、142c、142dは、第2の折り目ライン143a、143b、143c、143dにより第1のパネル140a、140b、140c、140dにヒンジ連結される。第3のパネル144a/146a、144b/146b、144c/146c、144d/146dは、第3の折り目ライン145a、145b、145c、145dにより第2のパネル142a、142b、142c、142dにヒンジ連結される。第3のパネル144a/146a、144b/146b、144c/146c、144d/146dは、第4の折り目ライン149a、149b、149c、149dにより端壁部126a、126bの側部エッジに沿って端壁部126a、126bにヒンジ連結される。
【０１７０】
第1のパネル140a、140b、140c、140dは、第1の自由エッジE1を備え、第1の自由エッジE1は、第1のパネル140aが第1の側壁部116と面接触関係になるように折り目ライン141aを中心として折り畳まれる場合に、固定フラップ112/114がその近辺に折り畳まれ得るように、折り目ライン115に対して実質的に平行になるように構成される。
【０１７１】
第3のパネル144a/146a、144b/146b、144c/146c、144d/146dは、第2の自由エッジE2を備え、第2の自由エッジE2は、トレーBが拡張状態にある場合に、折り目ライン115に対して実質的に平行になるように構成され、これにより固定フラップ112/114は、コーナーウェブC1、C2、C3、C4を中心として折り畳まれることが可能となる。
【０１７２】
いくつかの実施形態において、第2の自由エッジE2は、コーナーウェブC1、C2、C3、C4が第2の折り目ライン143a、143b、143c、143dを中心として折り畳まれ、したがってトレーBが拡張状態にある場合に、第1の自由エッジE1と位置合わせ状態に配置され得る。
【０１７３】
第1の折り目ライン141a、141b、141c、141dおよび第2の折り目ライン143a、143b、143c、143dは、それらの間に第1の角度αを画定する。第2の折り目ライン143a、143b、143c、143dおよび第1の自由エッジE1は、それらの間に第2の角度ω1を画定する。第2の折り目ライン143a、143b、143c、143dおよび第2の自由エッジE2は、それらの間に第3の角度ω2を画定する。
【０１７４】
第2の角度ω1は、第3の角度ω2と等しい。
ω1=ω2
【０１７５】
第1の角度αと第2の角度ω1との和は90°である。
α+ω1=90°
【０１７６】
したがって、第1の角度αと第3の角度ω2との和は90°である。
α+ω2=90°
【０１７７】
第1の角度αおよび第3の角度ω2はいずれも、45°に等しくない。
α≠45°
ω2≠45°
【０１７８】
第1の角度αは、第3の角度ω2とは異なってもよく、すなわち等しくなくてもよい。
α≠ω2
【０１７９】
他の実施形態において、複数のガセットパネルは、第1のパネル140a、140b、140c、140dと、第2のパネル142a、142b、142c、142dと、第3のパネル144a、144b、144c、144dと、第4のパネル146a、146b、146c、146dとを備える。第1のパネル140a、140b、140c、140dは、第1の折り目ライン141a、141b、141c、141dにより側壁部116、120の側部エッジに沿って側壁部116、120にヒンジ連結される。第2のパネル142a、142b、142c、142dは、第2の折り目ライン143a、143b、143c、143dにより第1のパネル140a、140b、140c、140dにヒンジ連結される。第3のパネル144a、144b、144c、144dは、第3の折り目ライン145a、145b、145c、145dにより第2のパネル142a、142b、142c、142dにヒンジ連結される。第4のパネル146a、146b、146c、146dは、第4の折り目ライン149a、149b、149c、149dにより端壁部126a、126bの側部エッジに沿って端壁部126a、126bにヒンジ連結される。第4のパネル146a、146b、146c、146dは、第5の折り目ライン147a、147b、147c、147dにより第3のパネル144a、144b、144c、144dにヒンジ連結される。第1の折り目ライン141a、141b、141c、141dおよび第2の折り目ライン143a、143b、143c、143dは、それらの間に第1の角度αを画定する。第5の折り目ライン147a、147b、147c、147dおよび第4の折り目ライン149a、149b、149c、149dは、それらの間に第3の角度εを画定する。
【０１８０】
第1の角度αの2倍と第3の角度εとの和は、約90°に等しい。
2α+ε≒90°
【０１８１】
さらなる実施形態において、複数のガセットパネルは、第1のパネル140a、140b、140c、140dと、第2のパネル142a、142b、142c、142dと、第3のパネル144a/146a、144b/146b、144c/146c、144d/146dとを備える。第1のパネル140a、140b、140c、140dは、第1の折り目ライン141a、141b、141c、141dにより側壁部116、120の側部エッジに沿って側壁部116、120にヒンジ連結される。第2のパネル142a、142b、142c、142dは、第2の折り目ライン143a、143b、143c、143dにより第1のパネル140a、140b、140c、140dにヒンジ連結される。第3のパネル144a/146a、144b/146b、144c/146c、144d/146dは、第3の折り目ライン145a、145b、145c、145dにより第2のパネル142a、142b、142c、142dにヒンジ連結される。第3のパネル144a/146a、144b/146b、144c/146c、144d/146dは、第4の折り目ライン149a、149b、149c、149dにより端壁部126a、126bの側部エッジに沿って端壁部126a、126bにヒンジ連結される。第1の折り目ライン141a、141b、141c、141dおよび第2の折り目ライン143a、143b、143c、143dは、それらの間に第1の角度αを画定する。第2の折り目ライン143a、143b、143c、143dおよび第4の折り目ライン149a、149b、149c、149dは、それらの間に第2の角度β+δ+εを画定する。
【０１８２】
第1の角度αと第2の角度(β+δ+ε)との和は、約90°に等しい。
α+(β+δ+ε)≒90°
【０１８３】
第1の角度αおよび第2の角度(β+δ+ε)はいずれも、45°に等しくない。
α≠45°
(β+δ+ε)≠45°
【０１８４】
第1の角度αは、第2の角度(β+δ+ε)と異なってもよい、すなわち等しくなくてもよい。
α≠(β+δ+ε)
【０１８５】
本開示は、トレーBと、トレーBの開口上部を覆うためにトレーBに少なくとも部分的に解除可能に係合されるカバーTとを備える、カートンまたはキャリアを提供する。トレーは、底壁部118と、一対の側壁部116、120と、一対の端壁部126a、126bと、トレーBの各コーナーに折畳み可能コーナーウェブC1、C2、C3、C4とを備える。各コーナーウェブは、端壁部116、120および側壁部126a、126bのそれぞれの隣接し合う側部エッジ間をヒンジ連結し、各コーナーウェブは、収束折り目ライン143a/145a、143b/145b、143c/145c、143d/145dにより次から次へとヒンジ連結された、第1のパネル140a、140b、140c、140dと、第2のパネル142a、142b、142c、142dと、第3のパネル144a/146a、144b/146b、144c/146c、144d/146dとを備える。概念上の収束点を有する収束折り目ライン143a/145a、143b/145b、143c/145c、143d/145dは、端壁部116、120および側壁部126a、126bの隣接し合う側部エッジの交差部にほぼ配設される。各コーナーウェブC1、C2、C3、C4の第1のパネル140a、140b、140c、140dは、それぞれの側壁部116、120の外部表面に固定される。トレーBは、各コーナーウェブC1、C2、C3、C4が完全折畳み位置にある状態で、トレーの各コーナーの端壁部116、120および側壁部126a、126bの隣接し合う側部エッジが相互に実質的に隣に配設される第1の初期形態から、それぞれのコーナーウェブC1、C2、C3、C4が部分的に拡げられた位置にある状態で、各コーナーの端壁部116、120および側壁部126a、126bの隣接し合う側部エッジが離間される第2の拡張形態へと転換可能である。トレーBは、カバーTがトレーBの側部パネルおよび端部パネルの輪郭に少なくとも沿って配設されるようにトレーBに係合されたカバーTによって、第1の初期形態にロック可能である。
【０１８６】
トレーBは、各側壁部116、120の上方エッジにヒンジ連結された固定フラップ112/114、122/124により第2の拡張形態にロック可能である。固定フラップ112/114、122/124は、各コーナーウェブC1、C2、C3、C4が固定フラップ112/114、122/124と側壁部116、120のそれぞれ一方との間に挟み込まれるまたは折り畳まれるロック位置へと折り曲げられる。固定フラップ112/114、122/124のハンドルフラップ160は、側壁部116、120の一方のハンドオープニング内に受けられる。
【０１８７】
様々な変更が本発明の範囲内において行い得る点が理解できる。例えば、パネルおよび開口のサイズおよび形状は、異なるサイズまたは形状の物品を収容するために調節され得る。本発明の他の実施形態において、キャリーハンドルが、多様なカートン構造部に適用され、その適用においてエンドローディングタイプの完全に閉じられたカートンに限定されないことが予期される。また、キャリーハンドルの一方の側部(1つのみの緩衝構造部を有する)が十分であり、それぞれが固有の緩衝構造部を有する対称的鏡像の2つのキャリーハンドル構造が不必要であるであることが予期される。
【０１８８】
本明細書において、「上部」、「底部」、「前部」、「後部」、「端部」、「側部」、「内方」、「外方」、「上方」、および「下方」などの方向指示語は、かかる配向にそれぞれのパネルを必ずしも限定せず、これらのパネルを相互に識別する役割を単に果たし得る点が理解されよう。
【０１８９】
本明細書において、「ヒンジ連結」および「折り目ライン」という用語は、ブランクのヒンジ特徴部を画定する、ブランクの部分同士の相互に対する折畳みを容易にする、またはブランクの最適なパネル折畳み位置を示すあらゆるライン様式を指す。折り目ラインは、典型的には刻み目ライン、エンボス加工ライン、またはデボス加工ラインである。ヒンジ連結または折り目ラインへのいずれの参照も、単一の折り目ラインのみを参照するものとして必ずしも解釈されるべきではなく、実際には、ヒンジ連結が、本発明の範囲から逸脱することなく以下のものすなわち短スリット、易壊ライン、または折り目ラインのうちの任意の1つまたは複数から形成され得ることが予期される。
【０１９０】
本明細書において、「分離ライン」という用語は、基層の部分同士の相互からの分離を容易にする、または最適な分離位置を示すあらゆるライン様式を指す。分離ラインは、易壊ラインもしくは他の脆弱ライン、破断ライン、切断ライン、またはスリットであってもよい。
【０１９１】
ヒンジ連結、分離ライン、および折り目ラインはそれぞれ、穿孔、穿孔ライン、短スリットライン、半切断部ライン、単一の半切断部、切断ライン、不連続切断ライン、スリット、刻み目、およびそれらの任意の組合せ等を含む、ブランクの基層中に形成された要素を含み得る点を理解されたい。これらの要素は、所望の機能を実現するように寸法設定および配置され得る。例えば、穿孔ラインが、折り目ラインおよび/または分離ラインを画定するようにある脆弱度合いで寸法設定または設計され得る。穿孔ラインは、折畳みを容易にし、破壊に抵抗するように、折畳みを容易にしより多くの労力による破壊を助長するように、またはわずかな労力による破壊を助長するように設計され得る。
【符号の説明】
【０１９２】
R1  第3の破断部または凹部
R2  第1の破断部または凹部
R3  第2の破断部または凹部
R4  第4の破断部または凹部
W1  ウェブ構造部
W2  ウェブ構造部
W3  ウェブ構造部
W4  ウェブ構造部
D1  方向矢印
D2  方向矢印
D3  方向矢印
D4  方向矢印
D5  方向矢印
D6  方向矢印
D7  方向矢印
D8  方向矢印
D9  方向矢印
D10  方向矢印
C1  第1のコーナーウェブ
C2  第2のコーナーウェブ
C3  第3のコーナーウェブ
C4  第4のコーナーウェブ
G  接着剤
A1  第1のハンドルアパーチャ
A2  第2のハンドルアパーチャ
T  上部カバー
B  トレー
T''  第1の部分
B''  第2の部分
10  第1のブランク
12  第1のフラップ
13  折り目ライン
14  第1の内方側部パネル
15  折り目ライン
16  第1の外方側部パネル
17  折り目ライン
18  上部パネル
19  折り目ライン
20  第2の外方側部パネル
21  折り目ライン
22  第2の内方側部パネル
23  折り目ライン
24  第2のフラップ
25a  折り目ライン
25b  折り目ライン
26a  第1の外方端部パネル
26b  第2の外方端部パネル
27a  折り目ライン
27b  折り目ライン
28a  第1の内方端部パネル
28b  第2の内方端部パネル
30a  第1のウェブパネル
30b  第3のウェブパネル
30c  第5のウェブパネル
30d  第7のウェブパネル
31a  折り目ライン
31b  折り目ライン
31c  折り目ライン
31d  折り目ライン
32a  第2のウェブパネル
32b  第4のウェブパネル
32c  第6のウェブパネル
32d  第8のウェブパネル
33a  折り目ライン
33b  折り目ライン
33c  折り目ライン
33d  折り目ライン
35a  折り目ライン
35b  折り目ライン
35c  折り目ライン
35d  折り目ライン
50a  第1の固定タブ
50b  第2の固定タブ
50c  第3の固定タブ
50d  第4の固定タブ
51a  折り目ライン
51b  折り目ライン
51c  折り目ライン
51d  折り目ライン
90  キャリア
110  第2のブランク
112  第1の上部フラップ、遠位部分
113  折り目ライン
114  第1の上部フラップ、近位部分
115  折り目ライン
116  第1の側部パネル
117  折り目ライン
118  ベースパネル
119  折り目ライン
120  第2の側部パネル
121  折り目ライン
122  第2の上部フラップ、近位部分
123  折り目ライ
124  第2の上部フラップ、遠位部分
125a  折り目ライン
125b  折り目ライン
126a  第1の端部パネル
126b  第2の端部パネル
140a  第1のガセットパネル
140b  第5のガセットパネル
140c  第9のガセットパネル
140d  第13のガセットパネル
141a  折り目ライン、第1の折り目ライン
141b  折り目ライン、第1の折り目ライン
141c  折り目ライン、第1の折り目ライン
141d  折り目ライン、第1の折り目ライン
142a  第2のガセットパネル
142b  第6のガセットパネル
142c  第10のガセットパネル
142d  第14のガセットパネル
143a  折り目ライン、第2の折り目ライン
143b  折り目ライン、第2の折り目ライン
143c  折り目ライン、第2の折り目ライン
143d  折り目ライン、第2の折り目ライン
144a  第3のガセットパネル
144b  第7のガセットパネル
144c  第11のガセットパネル
144d  第15のガセットパネル
145a  折り目ライン、第3の折り目ライン
145b  折り目ライン、第3の折り目ライン
145c  折り目ライン、第3の折り目ライン
145d  折り目ライン、第3の折り目ライン
146a  第4のガセットパネル
146b  第8のガセットパネル
146c  第12のガセットパネル
146d  第16のガセットパネル
147a  折り目ライン、第5の折り目ライン
147b  折り目ライン、第5の折り目ライン
147c  折り目ライン、第5の折り目ライン
147d  折り目ライン、第5の折り目ライン
149a  折り目ライン、第4の折り目ライン
149b  折り目ライン、第4の折り目ライン
149c  折り目ライン、第4の折り目ライン
149d  折り目ライン、第4の折り目ライン
160  第2のハンドルフラップ
161  折り目ライン
162  ほぼU字形状の分離ライン
190  パッケージ
1010  第1のブランク
1012  第1のフラップ
1013  折り目ライン
1014  第1の内方側部パネル
1015  折り目ライン
1016  第1の外方側部パネル
1017  折り目ライン
1018  上部パネル
1019  折り目ライン
1020  第2の外方側部パネル
1021  折り目ライン
1022  第2の内方側部パネル
1023  折り目ライン
1024  第2のフラップ
1025a  折り目ライン
1025b  折り目ライン
1026a  外方端部パネル
1026b  第2の外方端部パネル
1027b  折り目ライン
1028b  内方端部パネル
1030a  第1のウェブパネル
1030d  第7のウェブパネル
1031a  折り目ライン
1031d  折り目ライン
1032a  第2のウェブパネル
1032d  第8のウェブパネル
1033a  折り目ライン
1033d  折り目ライン
1035a  折り目ライン
1035d  折り目ライン
1052a  第1の固定タブ
1052b  第2の固定タブ
1053a  折り目ライン
1053b  折り目ライン
1054  第1の保持タブ
1056  第2の保持タブ
1070a  第1のロックタブ
1070b  第2のロックタブ
1072a  第1の受け部
1072b  第2の受け部
1074a  第5の受け部
1074b  第6の受け部
1076a  第3の受け部
1076b  第4の受け部
1078a  第3のロックタブ
1078b  第4のロックタブ
1080  折り目ライン
1112  主要パネル
1114  主要パネル
1116  主要パネル
1118  ベースパネル
1120  主要パネル
1122  主要パネル
1124  主要パネル
1125b  折り目ライン
1126B  第2の端部パネル
【図１】
2019043671.tif 000003
【図２】
2019043671.tif 000004
【図３】
2019043671.tif 000005
【図４】
2019043671.tif 000006
【図５】
2019043671.tif 000007
【図６】
2019043671.tif 000008
【図７】
2019043671.tif 000009
【図８】
2019043671.tif 000010
【図９】
2019043671.tif 000011
【図１０】
2019043671.tif 000012
【図１１】
2019043671.tif 000013
【図１２】
2019043671.tif 000014
【図１３】
2019043671.tif 000015
【図１４】
2019043671.tif 000016
【外国語明細書】
2019043671000001.pdf